(57)【要約】【課題】筆記後、熱変色性の像または筆跡を摩擦変色する際、筆記具本体を大きく持ち替える必要がなく、迅速に摩擦変色作業に移行できる摩擦具及び熱変色性筆記具を提供する。【解決手段】熱変色性インキを用いて被筆記面上に形成した熱変色性の像または筆跡を摩擦し、その際に生じる摩擦熱で前記熱変色性の像または筆跡を熱変色可能な摩擦具であって、指が挿入保持可能な内孔２１を備えた保持部２と、該保持部２の外面に設けられ、前記熱変色性の像または筆跡を摩擦可能な弾性材料よりなる摩擦部３とからなる。【選択図】  図１
2012035598.tif 000002
【特許請求の範囲】
【請求項１】
熱変色性インキを用いて被筆記面上に形成した熱変色性の像または筆跡を摩擦し、その際に生じる摩擦熱で前記熱変色性の像または筆跡を熱変色可能な摩擦具であって、指が挿入保持可能な内孔を備えた保持部と、該保持部の外面に設けられ、前記熱変色性の像または筆跡を摩擦可能な弾性材料よりなる摩擦部とからなることを特徴とする摩擦具。
【請求項２】
内部に熱変色性インキが収容され且つ一端に該熱変色性インキが吐出可能なペン先を備えた筆記具本体と、前記熱変色性インキを用いて被筆記面上に形成した熱変色性の筆跡を摩擦し、その際に生じる摩擦熱で前記熱変色性の筆跡を熱変色可能な摩擦具とからなる熱変色性筆記具セットであって、前記筆記具本体に、前記摩擦具を着脱自在に設け、前記摩擦具が、指が挿入保持可能な内孔を備えた保持部と、該保持部の外面に設けられ、熱変色性の筆跡を摩擦可能な弾性材料よりなる摩擦部とからなることを特徴とする熱変色性筆記具セット。
【請求項３】
前記摩擦具の保持部の内孔に、前記筆記具本体が挿入保持可能である請求項２記載の熱変色性筆記具セット。
【発明の詳細な説明】
【技術分野】
【０００１】
本発明は、摩擦具及び熱変色性筆記具セットに関する。
【背景技術】
【０００２】
従来、特許文献１には、筆記具本体の内部に熱変色性インキを収容し、前記筆記具本体の前端に、熱変色性インキが吐出可能なペン先を設け、前記筆記具本体の外面に、熱変色性インキの筆跡を摩擦しその際に生じる摩擦熱で該筆跡が熱変色可能な摩擦部を設けた熱変色性筆記具であって、筆記具本体の前部外面に弾性部材を設け、前記弾性部材が、筆記時には手指等で把持可能な把持部となり、熱変色性インキの筆跡を摩擦する際には把持部及び摩擦部となることを特徴とする熱変色性筆記具が記載されている。
【先行技術文献】
【特許文献】
【０００３】
【特許文献１】特開２００９−２０８３１３号公報
【発明の概要】
【発明が解決しようとする課題】
【０００４】
前記特許文献１の熱変色性筆記具は、筆記後、筆跡を摩擦変色する際、筆記具本体を大きく持ち替える必要があり、迅速に摩擦変色作業に移行できない。
【０００５】
本発明は、前記従来の問題点を解決するものであり、筆記後、熱変色性の像または筆跡を摩擦変色する際、筆記具本体を大きく持ち替える必要がなく、迅速に摩擦変色作業に移行できる摩擦具及び熱変色性筆記具を提供しようとするものである。
尚、本発明で、「前」とは筆記具本体のペン先側を指す。「後」とは筆記具本体の反ペン先側を指す。
【課題を解決するための手段】
【０００６】
本願の第１の発明は、熱変色性インキを用いて被筆記面上に形成した熱変色性の像または筆跡を摩擦し、その際に生じる摩擦熱で前記熱変色性の像または筆跡を熱変色可能な摩擦具であって、指が挿入保持可能な内孔２１を備えた保持部２と、該保持部２の外面に設けられ、前記熱変色性の像または筆跡を摩擦可能な弾性材料よりなる摩擦部３とからなることを要件とする。
【０００７】
前記第１の発明の摩擦具１は、摩擦作業の際、指を保持部２の内孔２１に挿入し、保持部２の外面の摩擦部３によって熱変色性の像または筆跡を摩擦することができ、それにより、指に摩擦具１を保持した状態で筆記具本体６を把持することができる。その結果、筆記後、熱変色性の筆跡を摩擦変色する際、筆記具本体６を大きく持ち替える必要がなく、迅速に摩擦変色作業に移行できる。
【０００８】
本願の第２の発明は、内部に熱変色性インキが収容され且つ一端に該熱変色性インキが吐出可能なペン先を備えた筆記具本体６と、前記熱変色性インキを用いて被筆記面上に形成した熱変色性の筆跡を摩擦し、その際に生じる摩擦熱で前記熱変色性の筆跡を熱変色可能な摩擦具１とからなる熱変色性筆記具セットであって、前記筆記具本体６に、前記摩擦具１を着脱自在に設け、前記摩擦具１が、指が挿入保持可能な内孔２１を備えた保持部２と、該保持部２の外面に設けられ、熱変色性の筆跡を摩擦可能な弾性材料よりなる摩擦部３とからなることを要件とする。
【０００９】
前記第２の発明の熱変色性筆記具セット５は、摩擦作業の際、指を摩擦具１の保持部２の内孔２１に挿入し、保持部２の外面の摩擦部３によって熱変色性の筆跡を摩擦することができ、それにより、指に摩擦具１を保持した状態で筆記具本体６を把持することができる。その結果、筆記後、熱変色性の筆跡を摩擦変色する際、筆記具本体６を大きく持ち替える必要がなく、迅速に摩擦変色作業に移行できる。また、前記第２の発明の熱変色性筆記具セット５は、筆記具本体６に摩擦具１を着脱自在に設けたことにより、摩擦操作をしないときは、摩擦具１を筆記具本体６に取り付けて保管でき、摩擦具１の紛失を防ぐことができる。
【００１０】
本願の第３の発明は、前記第２の発明の熱変色性筆記具セット５において、前記摩擦具１の保持部２の内孔２１に、前記筆記具本体６が挿入保持可能であることを要件とする。
【００１１】
前記第３の発明の熱変色性筆記具セット５は、摩擦具１の保持部２の内孔２１に、筆記具本体６が挿入保持可能であることにより、摩擦操作をしないときは、摩擦具１を筆記具本体６に容易に取り付けて保管することができる。
【００１２】
尚、本発明で、前記摩擦部３は弾性材料から構成される。前記弾性材料は、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。
【００１３】
前記弾性材料は、高摩耗性の弾性材料（例えば、消しゴム等）からなるものよりも、摩擦時に摩耗屑が殆ど生じない低摩耗性の弾性材料からなることが好ましい。
【００１４】
尚、本発明で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００１５】
本発明では、図６に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型の熱変色性インキが適用されることが好ましい。図６において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１６】
前記実質的二相保持温度域は、目的に応じて設定できるが、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦体による摩擦熱で容易に変色することができる。
【発明の効果】
【００１７】
本発明の摩擦具は、筆記後、熱変色性の像または筆跡を摩擦変色する際、筆記具本体を大きく持ち替える必要がなく、迅速に摩擦変色作業に移行できる。
【００１８】
本発明の熱変色性筆記具セットは、筆記後、熱変色性の筆跡を摩擦変色する際、筆記具本体を大きく持ち替える必要がなく、迅速に摩擦変色作業に移行でき、しかも、摩擦操作をしないときは、摩擦具を筆記具本体に取り付けて保管でき、摩擦具の紛失を防ぐことができる。
【図面の簡単な説明】
【００１９】
【図１】本発明の摩擦具の第１の実施の形態を示すものであり、（ａ）が正面図、（ｂ）が側面図である。
【図２】本発明の摩擦具の第２の実施の形態を示すものであり、（ａ）が正面図、（ｂ）が側面図である。
【図３】本発明の熱変色性筆記具セットの第１の実施の形態を示す側面図である。
【図４】本発明の熱変色性筆記具セットの第２の実施の形態を示す側面図である。
【図５】本発明の熱変色性筆記具セットの第３の実施の形態を示す側面図である。
【図６】熱変色性インキの変色挙動を示す説明図である。
【発明を実施するための形態】
【００２０】
＜摩擦具の第１の実施の形態＞
本発明の摩擦具１の第１の実施の形態を図１に示す。
本実施の形態の摩擦具１は、保持部２と、該保持部２の外面に設けられる摩擦部３とからなる。
【００２１】
前記保持部２は、一部に切り欠きを有する略環状（Ｃ字状）に形成される。前記保持部２には、指が挿入可能な内孔２１が貫通されている。前記保持部２は、金属や合成樹脂により構成される。
【００２２】
前記摩擦部３は、保持部２の外面に固定される。前記摩擦部３の径方向外面は、前記保持部２の他の径方向外面より径方向外方に最も大きく突出される。前記摩擦部３は、弾性材料により構成される。
【００２３】
本実施の形態の摩擦具１は、摩擦作業の際、指を保持部２の内孔２１に挿入し、保持部２の外面の摩擦部３によって熱変色性の筆跡を摩擦することができ、それにより、指に摩擦具１を保持した状態で筆記具本体６を把持することができる。その結果、筆記後、熱変色性の筆跡を摩擦変色する際、筆記具本体６を大きく持ち替える必要がなく、迅速に摩擦変色作業に移行できる。
【００２４】
＜摩擦具の第２の実施の形態＞
本発明の摩擦具１の第２の実施の形態を図２に示す。
本実施の形態の摩擦具１は、保持部２と、該保持部２の外面に設けられる摩擦部３とからなる。
【００２５】
前記摩擦具１は、前記保持部２と前記摩擦部３とが、共通の弾性材料により一体に形成される円形の環状体よりなる。前記摩擦具１の中心より偏った位置に内孔２１が貫設されることにより、厚肉部と薄肉部とを有する保持部２が形成されるとともに、前記保持部２の厚肉部の外面を摩擦部３とすることができる。
【００２６】
本実施の形態の摩擦具１は、摩擦作業の際、指を保持部２の内孔２１に挿入し、保持部２の外面の摩擦部３によって熱変色性の筆跡を摩擦することができ、それにより、指に摩擦具１を保持した状態で筆記具本体６を把持することができる。その結果、筆記後、熱変色性の筆跡を摩擦変色する際、筆記具本体６を大きく持ち替える必要がなく、迅速に摩擦変色作業に移行できる。
【００２７】
＜熱変色性筆記具セットの第１の実施の形態＞
図３に本発明熱変色性筆記具セット５の第１の実施の形態を示す。
本実施の形態の熱変色性筆記具セット５は、筆記具本体６と、筆記具本体６の外面（具体的には筆記具本体６の後部外面）に着脱自在に取り付けられる摩擦具１とからなる。
【００２８】
前記筆記具本体６の内部には、筆記体が前後方向に移動可能に収容され、前記筆記具本体６の外部の操作部６２の操作により、前記筆記具本体６の先端より筆記体のペン先が出没可能に構成される。前記筆記体は、内部に熱変色性インキが収容され且つ前端に該熱変色性インキが吐出可能なペン先を備える。
【００２９】
前記摩擦具１は、第１の実施の形態の摩擦具１（図１）と共通であり、保持部２と、該保持部２の外面に設けられる摩擦部３とからなる。前記保持部２は、一部に切り欠きを有する略環状（Ｃ字状）に形成される。前記保持部２には、指が挿入可能な内孔２１が貫通されている。前記保持部２は、金属や合成樹脂により構成される。
【００３０】
前記摩擦部３は、保持部２の外面に固定される。前記摩擦部３の径方向外面は、前記保持部２の他の径方向外面より径方向外方に最も大きく突出される。前記摩擦部３は、弾性材料により構成される。
【００３１】
前記筆記具本体６のペン先より吐出される熱変色性インキを用いて被筆記面上に熱変色性の筆跡を形成できる。前記摩擦具１を筆記具本体６から取り外して、保持部２の内孔２１に指を挿入し、前記摩擦具１を指に保持させ、前記摩擦具１の摩擦部３により、前記熱変色性の筆跡を摩擦し、その際に生じる摩擦熱で前記熱変色性の筆跡を熱変色可能である。
【００３２】
本実施の形態の熱変色性筆記具セット５は、摩擦作業の際、指を摩擦具１の保持部２の内孔２１に挿入し、保持部２の外面の摩擦部３によって熱変色性の筆跡を摩擦することができ、それにより、指に摩擦具１を保持した状態で筆記具本体６を把持することができる。その結果、筆記後、熱変色性の筆跡を摩擦変色する際、筆記具本体６を大きく持ち替える必要がなく、迅速に摩擦変色作業に移行できる。また、本実施の形態の熱変色性筆記具セット５は、摩擦操作をしないときは、摩擦具１を筆記具本体６に取り付けて保管でき、摩擦具１の紛失を防ぐことができる。
【００３３】
＜熱変色性筆記具セットの第２の実施の形態＞
図４に本発明熱変色性筆記具セット５の第２の実施の形態を示す。
本実施の形態の熱変色性筆記具セット５は、筆記具本体６と、筆記具本体６の外面（具体的には筆記具本体６の前部外面）に着脱自在に取り付けられる摩擦具１とからなる。前記摩擦具１は、筒状のグリップ部６１を介して筆記具本体６に取り付けられる。
【００３４】
前記筆記具本体６の内部には、筆記体が前後方向に移動可能に収容され、前記筆記具本体６の外部の操作部６２の操作により、前記筆記具本体６の先端より筆記体のペン先が出没可能に構成される。前記筆記体は、内部に熱変色性インキが収容され且つ前端に該熱変色性インキが吐出可能なペン先を備える。
【００３５】
前記摩擦具１は、第１の実施の形態の摩擦具１（図１）と共通であり、保持部２と、該保持部２の外面に設けられる摩擦部３とからなる。前記保持部２は、一部に切り欠きを有する略環状（Ｃ字状）に形成される。前記保持部２には、指が挿入可能な内孔２１が貫通されている。前記保持部２は、金属や合成樹脂により構成される。
【００３６】
前記摩擦部３は、保持部２の外面に固定される。前記摩擦部３の径方向外面は、前記保持部２の他の径方向外面より径方向外方に最も大きく突出される。前記摩擦部３は、弾性材料により構成される。
【００３７】
前記筆記具本体６のペン先より吐出される熱変色性インキを用いて被筆記面上に熱変色性の筆跡を形成できる。前記摩擦具１を筆記具本体６から取り外して、保持部２に内孔２１に指を挿入し、前記摩擦具１を指に保持させ、前記摩擦具１の摩擦部３により、前記熱変色性の筆跡を摩擦し、その際に生じる摩擦熱で前記熱変色性の筆跡を熱変色可能である。
【００３８】
本実施の形態の熱変色性筆記具セット５は、摩擦作業の際、指を摩擦具１の保持部２の内孔２１に挿入し、保持部２の外面の摩擦部３によって熱変色性の筆跡を摩擦することができ、それにより、指に摩擦具１を保持した状態で筆記具本体６を把持することができる。その結果、筆記後、熱変色性の筆跡を摩擦変色する際、筆記具本体６を大きく持ち替える必要がなく、迅速に摩擦変色作業に移行できる。また、本実施の形態の熱変色性筆記具セット５は、摩擦操作をしないときは、摩擦具１を筆記具本体６に取り付けて保管でき、摩擦具１の紛失を防ぐことができる。
【００３９】
＜熱変色性筆記具セットの第３の実施の形態＞
図５に本発明熱変色性筆記具セット５の第３の実施の形態を示す。
本実施の形態の熱変色性筆記具セット５は、筆記具本体６と、筆記具本体６の外面（具体的には筆記具本体６のクリップ６３の基部）に着脱自在に取り付けられる摩擦具１とからなる。前記摩擦具１は、接続部材４（例えば紐やチェーン等）を介して筆記具本体６に取り付けられる。
【００４０】
前記筆記具本体６の内部には、筆記体が前後方向に移動可能に収容され、前記筆記具本体６の外部の操作部６２の操作により、前記筆記具本体６の先端より筆記体のペン先が出没可能に構成される。前記筆記体は、内部に熱変色性インキが収容され且つ前端に該熱変色性インキが吐出可能なペン先を備える。
【００４１】
前記摩擦具１は、第２の実施の形態の摩擦具１（図２）と共通である。前記摩擦具１は、前記保持部２と前記摩擦部３とが、共通の弾性材料により一体に形成される円形の環状体よりなる。前記摩擦具１の中心より偏った位置に内孔２１が貫設されることにより、厚肉部と薄肉部とを有する保持部２が形成されるとともに、前記保持部２の厚肉部の外面を摩擦部３とすることができる。
【００４２】
前記保持部２には、内孔２１と連通しない小孔２２が貫設される。前記小孔２２に、接続部材４（紐またはチェーン）が通される。
【００４３】
前記筆記具本体６のペン先より吐出される熱変色性インキを用いて被筆記面上に熱変色性の筆跡を形成できる。前記摩擦具１を筆記具本体６から取り外して、保持部２の内孔２１に指を挿入し、前記摩擦具１を指に保持させ、前記摩擦具１の摩擦部３により、前記熱変色性の筆跡を摩擦し、その際に生じる摩擦熱で前記熱変色性の筆跡を熱変色可能である。
【００４４】
本実施の形態の熱変色性筆記具セット５は、摩擦作業の際、指を摩擦具１の保持部２の内孔２１に挿入し、保持部２の外面の摩擦部３によって熱変色性の筆跡を摩擦することができ、それにより、指に摩擦具１を保持した状態で筆記具本体６を把持することができる。その結果、筆記後、熱変色性の筆跡を摩擦変色する際、筆記具本体６を大きく持ち替える必要がなく、迅速に摩擦変色作業に移行できる。また、本実施の形態の熱変色性筆記具セット５は、摩擦操作をしないときは、摩擦具１を筆記具本体６に取り付けて保管でき、摩擦具１の紛失を防ぐことができる。
【符号の説明】
【００４５】
１  摩擦具
２  保持部
２１  内孔
２２  小孔
３  摩擦部
４  接続部材（紐またはチェーン）
５  熱変色性筆記具セット
６  筆記具本体
６１  グリップ部
６２  操作部
６３  クリップ
【図１】
2012035598.tif 000003
【図２】
2012035598.tif 000004
【図３】
2012035598.tif 000005
【図４】
2012035598.tif 000006
【図５】
2012035598.tif 000007
【図６】
2012035598.tif 000008